(57)【要約】【課題】送風の強弱や首振角度が自動的に設定される、使い勝手の良い扇風機を提供する。【解決手段】扇風機１は、ファン６と、ファン６を回転させるファン用モータ５と、ファン用モータ５に首振運動を行わせる首振装置を構成する首振用モータ１６と、温度センサ１２と、湿度センサ１３と、全体制御を司る制御部１０を備える。制御部１０は、温度センサ１２の測定した温度が所定温度以上であるときはファン用モータ５を「強」モードで駆動し、温度センサ１２の測定した温度が所定温度未満であるときはファン用モータ５を「弱」モードで駆動し、湿度センサ１３の測定した湿度が所定湿度以上であるときは首振用モータ１６を「首振角度大」とし、湿度センサ１３の測定した湿度が所定湿度未満であるときは首振用モータ１６を「首振角度小」とする。【選択図】図３
2012097625.tif 000002
【特許請求の範囲】
【請求項１】
ファンと、前記ファンを回転させるモータと、前記モータに首振運動を行わせる首振装置と、温度センサと、湿度センサと、全体制御を司る制御部を備え、
前記制御部は、前記温度センサの測定した温度が所定温度以上であるときは前記モータを「強」モードで駆動し、前記温度センサの測定した温度が所定温度未満であるときは前記モータを「弱」モードで駆動し、前記湿度センサの測定した湿度が所定湿度以上であるときは前記首振装置を「首振角度大」とし、前記湿度センサの測定した湿度が所定湿度未満であるときは前記首振装置を「首振角度小」とすることを特徴とする扇風機。
【請求項２】
前記制御部は、前記温度センサの測定した温度が前記所定温度よりも低く設定した第２の所定温度未満となり、且つ前記湿度センサの測定した湿度が所定湿度未満であるときは前記モータと前記首振装置を停止させることを特徴とする請求項１に記載の扇風機。
【請求項３】
前記ファンを囲むガードに人体が接触したことを検知する接触センサと、前記ガードに人体が接触したことを前記接触センサが検知したときに鳴動するアラーム装置を備え、前記アラーム装置は音量減少操作または消音操作が可能であることを特徴とする請求項１または２に記載の扇風機。
【発明の詳細な説明】
【技術分野】
【０００１】
本発明は扇風機に関する。
【背景技術】
【０００２】
通常の扇風機は、モータの回転数を変えることにより送風の強弱を変えられるようになっており、送風の向きを変える首振装置も備えている。首振の角度を変えられるようにした扇風機もある。その例を特許文献１に見ることができる。
【０００３】
特許文献１に記載された扇風機では、扇風機頭部をスタンドに対して左右方向に首振する左右首振用モータを正逆転可能なモータにより構成し、左右首振用モータの正逆転時間を変えることにより首振角度を変えている。左右首振用モータの正逆転時間は、周囲の温度を検出する温度センサの出力に基づいて制御される。
【先行技術文献】
【特許文献】
【０００４】
【特許文献１】特開平４−３５０３９８号公報（国際特許分類：Ｆ０４Ｄ２５／１０、Ｆ０４Ｄ２７／００）
【発明の概要】
【発明が解決しようとする課題】
【０００５】
従来の扇風機は、使用者が、温度計や湿度計の計測結果に基づいて、あるいは自分が体感する温度や湿度によって、送風の強弱や首振角度などを設定していた。
【０００６】
本発明は上記の点に鑑みなされたものであり、送風の強弱や首振角度が自動的に設定される、使い勝手の良い扇風機を提供することを目的とする。
【課題を解決するための手段】
【０００７】
本発明の好ましい実施形態によれば、扇風機は、ファンと、前記ファンを回転させるモータと、前記モータに首振運動を行わせる首振装置と、温度センサと、湿度センサと、全体制御を司る制御部を備え、前記制御部は、前記温度センサの測定した温度が所定温度以上であるときは前記モータを「強」モードで駆動し、前記温度センサの測定した温度が所定温度未満であるときは前記モータを「弱」モードで駆動し、前記湿度センサの測定した湿度が所定湿度以上であるときは前記首振装置を「首振角度大」とし、前記湿度センサの測定した湿度が所定湿度未満であるときは前記首振装置を「首振角度小」とする。
【０００８】
本発明の好ましい実施形態によれば、上記構成の扇風機において、前記制御部は、前記温度センサの測定した温度が前記所定温度よりも低く設定した第２の所定温度未満となり、且つ前記湿度センサの測定した湿度が所定湿度未満であるときは前記モータと前記首振装置を停止させる。
【０００９】
本発明の好ましい実施形態によれば、上記構成の扇風機において、前記ファンを囲むガードに人体が接触したことを検知する接触センサと、前記ガードに人体が接触したことを前記接触センサが検知したときに鳴動するアラーム装置を備え、前記アラーム装置は音量減少操作または消音操作が可能である。
【発明の効果】
【００１０】
本発明によると、温度センサが測定した温度に基づきモータが「強」モードで駆動されるか「弱」モードで駆動されるかが定まり、湿度センサが測定した湿度に基づき首振装置が「首振角度大」とされるか「首振角度小」とされるかが定まるから、その時々の環境に応じて快適な送風に自動的に切り換えられる。従って、強風と弱風の選択や首振角度の選択に使用者自身が頭を悩ます必要がない。
【図面の簡単な説明】
【００１１】
【図１】本発明の第１実施形態に係る扇風機の概略構造を示す正面図である。
【図２】第１実施形態に係る扇風機のブロック構成図である。
【図３】第１実施形態に係る扇風機の動作チャートである。
【図４】第２実施形態に係る扇風機のブロック構成図である。
【図５】第２実施形態に係る扇風機の部分図である。
【発明を実施するための形態】
【００１２】
本発明が実施される扇風機の構造を図１に示す。扇風機１は、ベース３と伸縮式の支柱４からなるスタンド２を有し、支柱４の上端にファン用モータ５（図１には現れず、図２にその存在を示す）が支持され、ファン用モータ５によって回転せしめられるファン６の周囲を金属線製のガード７で囲む、という伝統的なスタイルを備えている。
【００１３】
扇風機１の制御システムは図２に示す構成となっている。扇風機１の制御を司る制御部１０はマイクロコンピュータを中核として構成される。制御部１０は、操作部１１、温度センサ１２、及び湿度センサ１３から出力信号を受け取り、表示部１４とモータ駆動回路１５に対し制御信号を出力する。
【００１４】
操作部１１と表示部１４はスタンド２のベース３の天面に配置され、温度センサ１２と湿度センサ１３はスタンド２の内部の通風の良い箇所に配置される。モータ駆動回路１５は、ファン用モータ５と、首振装置を構成する首振用モータ１６を駆動する。首振用モータ１６は、特許文献１に記載された左右首振用モータと同様、正逆転可能なモータにより構成され、正逆転時間を変えることにより首振角度を変えられる仕組みのものである。
【００１５】
制御部１０は、温度センサ１２の測定した温度が所定温度以上であるときは、ファン用モータ５を「強」モードで駆動して涼風効果を得るようにし、温度センサ１２の測定した温度が所定温度未満であるときは、ファン用モータ５を「弱」モードで駆動する。その様子が図３に示されている。図３では「所定温度」が３０℃とされているが、これは単なる例示であり、発明を限定するものではない。
【００１６】
また制御部１０は、湿度センサ１３の測定した湿度が所定湿度以上であるときは、首振用モータ１６の正逆転時間を長くし、「首振角度大」として部屋全体の空気を循環してカビの発生を防ぐようにし、湿度センサ１３の測定した湿度が所定湿度未満であるときは、首振用モータ１６の正逆転時間を短くして「首振角度小」とする。図３では「所定湿度」が６０％とされているが、これは単なる例示であり、発明を限定するものではない。
【００１７】
このように、温度も湿度も高い場合は送風を「強」、首振角度を「大」として部屋全体の空気を循環し、カビの発生を防ぐと共に涼風効果を得る。温度が高く湿度が低い場合は送風を「強」、首振角度を「小」としてスポット送風し、涼風効果を最大限得る。温度が高くなく、湿度が高い場合は送風を「弱」、首振角度を「大」として部屋全体の空気を循環し、カビの発生を防ぐ。温度が高くなく、湿度が低い場合は送風を「弱」、首振角度を「小」としてスポット送風し、涼風効果を得る。
【００１８】
本実施形態では、温度に関し第２の所定温度が設定されている。第２の所定温度は前記所定温度よりも低い。図３では「第２の所定温度」が２０℃とされているが、これは単なる例示であり、発明を限定するものではない。
【００１９】
温度センサ１２の測定した温度が第２の所定温度未満であり、湿度センサ１３の測定した湿度が所定湿度未満であるときは、室内の空気が冷たく乾いており、風に当たって涼風効果を得る必要もなく、部屋全体の空気を循環してカビの発生を防ぐ必要もない。従ってこの場合はファン用モータ５も首振用モータ１６も停止させる。
【００２０】
尚図３では、温度を３段階に区分し、湿度を２段階に区分しているが、区分を更に細かくし、風の強さと首振角度を細かく調整してもよい。また風の強さや首振角度は、温度センサや湿度センサに関係なく、使用者の好みの風の強さ、首振角度に調整できるようにしてもよい。
【００２１】
本発明の第２実施形態を図４及び図５に示す。第２実施形態が第１実施形態から変わった点は、接触センサ１７、アラーム制御回路１８、及びアラーム装置１９が備えられている点である。接触センサ１７は、ファン６を囲むガード７に人体が接触したことを検知する。アラーム制御回路１８は、ガード７に人体が接触したことを接触センサ１７が検知したとき、アラーム装置１９を鳴動させる。
【００２２】
ガードに人体が接触したことを検知すると運転を停止してアラームを鳴動させる扇風機は以前から存在するが、そのような扇風機では、運転を停止する度にアラーム音が鳴り、誤ってガードに接触した場合にもアラーム音が鳴り、うるさく感じられることがあった。そこで第２実施形態では、アラーム装置１９は音量減少操作または消音操作が可能であることとして、うるささの解消を図っている。
【００２３】
図５に示したのは操作部１１に設けられるアラーム音量調節手段の一例である。アラーム音量調節手段はアラーム制御回路１８に含まれるスライド式可変スイッチにより構成されるものであり（スライド式可変スイッチの本体は図示しない）、ベース３の天面には、スライド式可変スイッチのスライドつまみ２０と、スライドつまみ２０のロッド部を通す長穴２１が設けられている。スライドつまみ２０を図の上方にスライドさせればアラーム音量が大きくなり、スライドつまみ２０を図の下方にスライドさせればアラーム音量が小さくなる。スライドつまみ２０の長穴２１の図における下端までスライドさせれば、アラームはＯＦＦ、すなわち消音状態となる。
【００２４】
このように、スライドつまみ２０の位置を変えることにより、誤ってガード７に接触した場合でもうるさく感じられないようにアラーム音量を調整する、あるいは消音することができる。最小限のアラーム音とすることで省エネ効果も生じる。
【００２５】
なお、可変スイッチ（ボリューム）を用いてアラーム音量を連続的に変化させる構成は必須ではない。単なるＯＮ−ＯＦＦスイッチを用い、鳴動か消音かだけを選択できるようにしておいてもよい。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は、扇風機に広く利用可能である。
【符号の説明】
【００２８】
１    扇風機
２    スタンド
５    ファン用モータ
６    ファン
８    操作部
１０  制御部
１１  操作部
１２  温度センサ
１３  湿度センサ
１６  首振用モータ
１７  接触センサ
１９  アラーム装置
【図１】
2012097625.tif 000003
【図２】
2012097625.tif 000004
【図３】
2012097625.tif 000005
【図４】
2012097625.tif 000006
【図５】
2012097625.tif 000007